(57)【要約】【課題】セパレーターに連結されているＰコンをコンクリート打設面から抜き取り易くすることができる型枠用セパレーターを提供する。【解決手段】丸鋼にて形成された連結杆１を形成する。この連結杆１の両端部に、Ｐコン４を着脱自在に連結せしめるネジ部２を設ける。連結杆１の一部を屈曲して回転止め部３を形成する。連結杆１がコンクリート内部に係止して連結杆１の空回りを防止するように構成する。連結杆１の長手中央部１Ａが山形状になるように回転止め部３を屈曲形成する。【選択図】  図１
0003169976.tif 000002
【実用新案登録請求の範囲】
【請求項１】
丸鋼にて形成された連結杆の両端部に、Ｐコンを着脱自在に連結せしめるネジ部を有し、コンクリート型枠の間隔を平行に保つ型枠用セパレーターにおいて、連結杆の一部を屈曲して回転止め部を形成し、コンクリートに埋設された連結杆端部からＰコンを取り外すときに連結杆がコンクリート内部に係止して連結杆の空回りを防止するように構成したことを特徴とする型枠用セパレーター。
【請求項２】
前記回転止め部は、前記連結杆の長手中央部が山形状になるように屈曲形成された請求項１記載の型枠用セパレーター。
【請求項３】
前記回転止め部は、前記連結杆の両端部と長手中央部との夫々の間に２箇所屈曲形成された請求項１記載の型枠用セパレーター。
【考案の詳細な説明】
【技術分野】
【０００１】
本考案は、コンクリート型枠を固定する型枠用セパレーターに係り、セパレーターに連結されているＰコンをコンクリート打設面から抜き取り易くすることができる型枠用セパレーターに関する。
【背景技術】
【０００２】
従来の型枠用セパレーター１０は、丸鋼の両端にねじを設けたもので、特に、打ち放し用のセパレーターでは、両端部にＰコン４と称する部材を着脱自在に装着して使用する（図４参照）。そして、コンクリート打設後にコンクリート型枠２０を取り外し、Ｐコン４をコンクリート打設面から取り除き、Ｐコンが取り除かれた後に残る円錐台状の凹部にモルタル等を充填した後、コンクリート打設面に外装や内装等の仕上げが施され、あるいはそのまま使用される。
【０００３】
一方、特許文献１に、アンカー部材を連結した型枠用セパレーターが提案されている。このセパレーターによると、セパレーターの端部にアンカー部材を連結することで、このセパレーターをコンクリート内部に固定してアンカーとして利用するものである。
【先行技術文献】
【特許文献】
【０００４】
【特許文献１】特開２００７-７０８７９
【考案の概要】
【考案が解決しようとする課題】
【０００５】
コンクリート打設面からＰコンを取り外す作業において、セパレーターからＰコンが外れないことが多くなっている。すなわち、コンクリート型枠設置時に、電動ドライバーを利用してセパレーターに固定しているので、セパレーターにネジ止めするＰコンがきつく締め付けられていることが多い。このような場合、セパレーターとＰコンとが一体化し、Ｐコンを取り外す際に、コンクリート内部でセパレーターが空回りすることが多くなっている。
【０００６】
特に、両面打放し用のセパレーターでは、一方のＰコンが外れた後、残ったＰコンがセパレーターごと空回りしてセパレーターから外れなくなり易い。しかも、セパレーターの長さが短くなるほど、コンクリートの接触面積が少なくなるので空回りが多くなるものである。
【０００７】
一方、特許文献１のセパレーターでは、コンクリート内部にセパレーターを固定できるとしても、セパレーターの端部に連結する特殊なアンカー部材を使用するため、コンクリート型枠の組み立て作業に部材が増加することになる。このため、組立作業が多くなり、部材の運搬や管理などの手間も増えると共に、製造コストが極めて高くなる不都合もある。
【０００８】
そこで、本考案は、上述の課題を解消すべく案出されたもので、セパレーターに連結されているＰコンをコンクリート打設面から抜き取り易くすることができる型枠用セパレーターの提供を目的とするものである。
【課題を解決するための手段】
【０００９】
上述の目的を達成すべく本考案における第１の手段は、丸鋼にて形成された連結杆１の両端部に、Ｐコン４を着脱自在に連結せしめるネジ部２を有し、コンクリート型枠の間隔を平行に保つ型枠用セパレーターにおいて、連結杆１の一部を屈曲して回転止め部３を形成し、コンクリートに埋設された連結杆１端部からＰコン４を取り外すときに連結杆１がコンクリート内部に係止して連結杆１の空回りを防止するように構成したことにある。
【００１０】
第２の手段において、前記回転止め部３は、前記連結杆１の長手中央部１Ａに山形状に形成されたものである。
【００１１】
第３の手段において、前記回転止め部３は、前記連結杆１の両端部と長手中央部１Ａとの夫々の間に２箇所形成されたものである。
【考案の効果】
【００１２】
本考案の請求項１によると、連結杆１の一部を屈曲して回転止め部３を形成し、コンクリートに埋設された連結杆１端部からＰコン４を取り外すときに連結杆１がコンクリート内部に係止して連結杆１の空回りを防止するように構成したことにより、セパレーターに連結されているＰコンをコンクリート打設面から抜き取り易くすることに成功したものである。
【００１３】
請求項２によると、回転止め部３は、連結杆１の長手中央部１Ａに山形状に形成されたものなので、単純な形状の回転止め部３でも連結杆１の中央部でコンクリートに係止させることができる。この結果、長さが短い連結杆１でも連結杆１の空回りを確実に防止することができる。
【００１４】
請求項３によると、回転止め部３は、前記連結杆１の両端部と長手中央部１Ａとの夫々の間に２箇所形成されたものであるから、例えば、長い連結杆１でも連結杆１の空回りを確実に防止することができる。
【図面の簡単な説明】
【００１５】
【図１】本考案の一実施例の使用状態を示す断面図である。
【図２】本考案セパレーターを積重ねた状態を示す要部正面図である。
【図３】本考案の他の実施例の使用状態を示す断面図である。
【図４】従来のセパレーターの使用状態を示す断面図である。
【考案を実施するための形態】
【００１６】
本考案によると、セパレーターに連結されているＰコンをコンクリート打設面から抜き取り易くすることができる型枠用セパレーターを提供することに成功した。
【００１７】
以下、本考案の実施例を説明する。本考案は、丸鋼にて形成された連結杆１の両端部にネジ部２を有する打放し用のセパレーターとして使用されるものである。Ｐコン４は、コンクリート型枠の間隔を平行に保つように装着されるものである。
【００１８】
そして、連結杆１の一部を屈曲して回転止め部３を形成する。この回転止め部３は、コンクリートに埋設された連結杆１端部からＰコン４を取り外すときに、連結杆１がコンクリート内部に係止して、連結杆１の空回りを防止するように構成している。
【００１９】
この回転止め部３は、連結杆１を屈曲することで設けるもので、屈曲の程度や回転止め部３の位置、数などは、任意に変更しても良い。但し、連結杆１の両端部は、コンクリート型枠の間隔を平行に保つように一直線上に位置するように構成している。
【００２０】
また、回転止め部３は、複数の連結杆１を積重ねた際に束になるように構成している（図２参照）。すなわち、回転止め部３は連結杆１の同じ位置に同形状に形成するものである。このように構成することで、回転止め部３を設けた連結杆１でも効率良く収納、運搬することができる。
【００２１】
一方、ネジ部２は、外袋用フィルム１の両端部に設けられ、Ｐコン４を着脱自在に連結するもので、Ｐコン４を取り外した後は、コンクリート打設面よりも内側に位置している（図１参照）。
【実施例１】
【００２２】
図１に示す実施例は、回転止め部３を連結杆１の長手中央部１Ａが山形状に突出するように屈曲形成したものである。回転止め部３の屈曲角度は任意に設定できるものである。図示例では、連結杆１の長手中央部１Ａが、連結杆１の太さ程度突出する山形状に形成したものである。この実施例では、短い連結杆１に回転止め部３を形成するのに好適である。
【実施例２】
【００２３】
また、図３に示す実施例は、連結杆１の両端部と長手中央部１Ａとの夫々の間に、回転止め部３を２箇所屈曲形成したものである。図示の回転止め部３は、連結杆１の太さ程度に突出するように屈曲している。この実施例では、長めの連結杆１に回転止め部３を形成するのに好適である。
【産業上の利用可能性】
【００２４】
本考案の各構成は図示例に限定されるものではなく、回転止め部３の数や位置、形状などの変更は、本考案の要旨を変更しない範囲で任意に変更することができる。
【符号の説明】
【００２５】
１  連結杆
２  ネジ部
３  回転止め部
４  Ｐコン
１０  セパレーター
２０  コンクリート型枠
【図１】
0003169976.tif 000003
【図２】
0003169976.tif 000004
【図３】
0003169976.tif 000005
【図４】
0003169976.tif 000006